【手続補正書】
【提出日】平成19年8月14日(2007.8.14)
【手続補正１】
【補正対象書類名】明細書
【補正対象項目名】特許請求の範囲
【補正方法】変更
【補正の内容】
【特許請求の範囲】
【請求項１】  出力信号から入力信号を絶縁するための絶縁装置であって、
前記入力信号を受け取るため、および、前記入力信号に関連する入力磁場を発生するための入力コイルと、
前記入力磁場を感知するため、および、前記入力磁場に関連するセンサ出力信号を供給するための磁気抵抗磁場センサ手段と、
出力コイルと、
前記センサ出力信号を受け取るため、および、前記出力コイルが、前記磁気抵抗磁場センサ手段における前記入力磁場を少なくとも実質的に無効にする出力磁場を発生するように、前記出力コイルにフィードバック信号を供給するためのフィードバック手段と、
前記フィードバック信号から出力信号を発生するための出力信号発生器手段を含む絶縁装置。
【請求項２】  前記磁気抵抗磁場センサ手段が少なくとも１つの磁気抵抗素子を含む請求項１に記載の絶縁装置。
【請求項３】  前記磁気抵抗磁場センサ手段が、ハーフ・ブリッジ出力ターミナルを備えたハーフ・ブリッジ構成において一緒に結合された２つの抵抗を含み、抵抗の少なくとも１つが磁気抵抗素子である請求項１に記載の絶縁装置。
【請求項４】  前記フィードバック手段が、前記ハーフ・ブリッジ出力ターミナルに結合された第１の入力ターミナルを有するアンプを含む請求項３に記載の絶縁装置。
【請求項５】  前記アンプが、第１の所定の電圧に結合された第２の入力ターミナルを有する請求項４に記載の絶縁装置。
【請求項６】  前記出力コイルが第１のターミナルおよび第２のターミナルを有し、前記アンプが前記出力コイルの前記第１のターミナルに結合された出力ターミナルを有する請求項５に記載の絶縁装置。
【請求項７】  前記出力信号発生器手段が、前記アンプの前記出力ターミナルと前記出力コイルの前記第１のターミナルとの間に挿入された抵抗を含む請求項６に記載の絶縁装置。
【請求項８】  前記出力コイルの前記第２のターミナルが、第２の所定の電圧に結合される請求項７に記載の絶縁装置。
【請求項９】  前記第２の所定の電圧が、アースである請求項８に記載の絶縁装置。
【請求項１０】  前記第２の所定の電圧が、アースより高い請求項８に記載の絶縁装置。
【請求項１１】  前記アンプが、参照電圧を受け取るための参照ターミナルを有し、前記アンプの前記第１の入力ターミナルにおける電圧が前記アンプの前記第２の入力ターミナルにおける前記第１の所定の電圧と実質的に等しい時に、前記アンプが前記参照電圧に少なくとも実質的に等しいフィードバック信号を発生する請求項１０に記載の絶縁装置。
【請求項１２】  前記アンプの前記参照ターミナルが、前記第２の所定の電圧に結合される請求項１１に記載の絶縁装置。
【請求項１３】  前記磁気抵抗磁場センサ手段が、第１のブリッジ出力ターミナルおよび第２のブリッジ出力ターミナルを備えたフル・ブリッジ構成で一緒に結合された４つの抵抗を含み、抵抗の少なくとも１つが磁気抵抗素子である請求項１に記載の絶縁装置。
【請求項１４】  前記フィードバック手段が、前記第１のブリッジ出力ターミナルに結合される第１の入力ターミナルおよび前記第２のブリッジ出力ターミナルに結合される第２の入力ターミナルを有するアンプを含む請求項１３に記載の絶縁装置。
【請求項１５】  前記出力コイルが、第１のターミナルおよび第２のターミナルを有し、前記アンプが、前記出力コイルの前記第１のターミナルに結合される出力ターミナルを有する請求項１４に記載の絶縁装置。
【請求項１６】  前記出力信号発生器手段が、前記アンプの前記出力ターミナルと前記出力コイルの前記第１のターミナルとの間に挿入された抵抗を含む請求項１５に記載の絶縁装置。
【請求項１７】  前記出力コイルの前記第２のターミナルが、所定の電圧に結合される請求項１６に記載の絶縁装置。
【請求項１８】  前記所定の電圧がアースである請求項１７に記載の絶縁装置。
【請求項１９】  前記所定の電圧がアースより高い請求項１７に記載の絶縁装置。
【請求項２０】  前記アンプが、参照電圧を受け取るための参照ターミナルを有し、前記アンプの前記第１の入力ターミナルにおける電圧が前記アンプの前記第２の入力ターミナルにおける電圧と実質的に等しい時に、前記アンプが、前記参照電圧と少なくとも実質的に等しいフィードバック信号を発生する請求項１８に記載の絶縁装置。
【請求項２１】  前記アンプの前記参照ターミナルが、所定の電圧に結合される請求項２０に記載の絶縁装置。
【請求項２２】  前記入力コイル、前記出力コイル、および、前記磁気抵抗磁場センサ手段が、集積回路上に集積される請求項１に記載の絶縁装置。
【請求項２３】  前記入力コイルが、前記磁気抵抗磁場センサ手段の第１の主表面に隣接して設けられ、前記出力コイルが、前記磁気抵抗磁場センサ手段の第２の向い合う主表面に隣接して設けられる請求項２２に記載の絶縁装置。
【請求項２４】  前記入力コイルが、第１の絶縁層によって前記磁気抵抗磁場センサ手段の前記第１の主表面から分離され、前記出力コイルが、第２の絶縁層によって前記磁気抵抗磁場センサの前記第２の向い合う主表面から分離される請求項２３に記載の絶縁装置。
【請求項２５】  前記入力コイルが、１つの金属層を使用して形成され、前記出力コイルが、異なった金属層を使用して形成される請求項２４に記載の絶縁装置。
【請求項２６】  出力信号から入力信号を絶縁するための方法であって、
前記入力信号に関連した入力磁場を供給するステップと、
磁気抵抗磁場センサを使用して前記入力磁場を感知するステップと、
前記入力磁場を少なくとも実質的に無効にする出力磁場を供給するステップと、
前記出力磁場に関連した出力信号を供給するステップを含む方法。
【請求項２７】  磁気抵抗ブリッジ・センサを使用して出力信号から入力信号を絶縁するための方法であって、
前記入力信号に関連する第１の入力磁場を前記磁気抵抗ブリッジ・センサに隣接して供給するステップと、
前記磁気抵抗ブリッジ・センサを介して前記第１の入力磁場を感知し、前記第１の入力磁場に関連する第１の出力信号を供給するステップと、
前記第１の出力信号に関連する値を記憶するステップと、
前記入力信号に関連するが、それからオフセットしている第２の入力磁場を前記磁気抵抗ブリッジ・センサに隣接して供給するステップと、
前記磁気抵抗ブリッジ・センサを介して前記第２の入力磁場を感知し、前記第２の入力磁場に関連する第２の出力信号を供給するステップと、
前記第１の出力信号と前記第２の出力信号との差が所定の値にあるように、前記磁気抵抗ブリッジ・センサに供給されるバイアス電圧を変化させるステップを含む方法。
【請求項２８】  オフセット信号を前記入力信号に加算し、それによって、オフセット入力信号をもたらし、前記第２の入力磁場が前記オフセット入力信号に関連するステップをさらに含む請求項２７に記載の方法。
【請求項２９】  前記第２の出力信号に関連する値を記憶するステップをさらに含む請求項２７に記載の方法。
【請求項３０】  磁気抵抗ブリッジ・センサを使用して出力信号から入力信号を絶縁するための方法であって、
前記磁気抵抗ブリッジ・センサに隣接して第１の入力磁場を供給し、前記第１の入力磁場が前記入力信号に関連するが、それからオフセットしているステップと、
前記磁気抵抗ブリッジ・センサを介して前記第１の入力磁場を感知し、前記第１の入力磁場に関連する第１の出力信号を供給するステップと、
前記第１の出力信号に関連する値を記憶するステップと、
前記磁気抵抗ブリッジ・センサに隣接して、前記入力信号に関連する第２の入力磁場を供給するステップと、
前記磁気抵抗ブリッジ・センサを介して前記第２の入力磁場を感知し、前記第２の入力磁場に関連する第２の出力信号を供給するステップと、
前記第１の出力信号と前記第２の出力信号との差が所定の値であるように、前記磁気抵抗ブリッジ・センサに供給されるバイアス電圧を変化させるステップを含む方法。
【請求項３１】  オフセット信号を前記入力信号に加算し、それによって、オフセット入力信号をもたらし、前記第１の入力磁場が前記オフセット入力信号に関連するステップをさらに含む請求項３０に記載の方法。
【請求項３２】  前記第２の出力信号に関連する値を記憶するステップをさらに含む請求項３０に記載の方法。
【請求項３３】  前記第１の出力信号を記憶する前に、アナログ／デジタル変換器を介して前記第１の出力信号をデジタル信号に変換するステップをさらに含む請求項３２に記載の方法。
【請求項３４】  前記第２の出力信号を記憶する前に、アナログ／デジタル変換器を介して前記第２の出力信号をデジタル信号に変換するステップをさらに含む請求項３３に記載の方法。
【請求項３５】  出力信号から入力信号を絶縁するための絶縁装置であって、
交流信号で前記入力信号を変調し、それによって、変調された入力信号を供給するための交流変調ブロックと、
前記変調された入力信号を受け取るため、および、変調された入力信号に関連する変調された入力磁場を発生するための入力磁場発生手段と、
励起電圧ターミナルおよび出力ターミナルを有する磁気抵抗ブリッジ・センサであって、前記励起電圧ターミナルを介して励起電圧を受け取り、前記出力ターミナルに出力信号を供給する磁気抵抗ブリッジ・センサと、
前記磁気抵抗ブリッジ・センサの前記出力信号から選択された周波数成分をフィルタリングし、それによって、前記絶縁装置の前記出力信号をもたらすための、前記磁気抵抗ブリッジ・センサの前記出力ターミナルに結合されたフィルタ手段と、
前記磁気抵抗ブリッジ・センサの前記出力信号のピーク／ピーク電圧を検出するため、および、検出されたピーク／ピーク電圧を所定の参照値と比較するためのピーク／ピーク検出器と、
前記ピーク／ピーク電圧が前記所定の参照値に等しくなるまで、前記磁気抵抗ブリッジ・センサの前記励起電圧ターミナルに供給される励起電圧を調整するための励起調整手段を含む絶縁装置。
【請求項３６】  出力信号から入力信号を絶縁するための絶縁装置であって、
前記入力信号を受け取るため、および、前記入力信号に関連する入力磁場を発生するための第１の入力磁場発生手段と、
交流変調信号を供給するための交流変調ブロックと、
前記交流変調信号を受け取るため、および、交流変調信号に関連する変調された磁場を発生するための第２の入力磁場発生手段と、
励起電圧ターミナルおよび出力ターミナルを有する磁気抵抗ブリッジ・センサであって、前記励起電圧ターミナルを介して励起電圧を受け取り、前記出力ターミナルに出力信号を供給し、前記入力磁場および前記変調された磁場の双方を受け取る磁気抵抗ブリッジ・センサと、
前記磁気抵抗ブリッジ・センサの前記出力信号から選択された周波数成分をフィルタリングし、それによって、前記絶縁装置の前記出力信号をもたらすための、前記磁気抵抗ブリッジ・センサの前記出力ターミナルに結合されたフィルタ手段と、
前記磁気抵抗ブリッジ・センサの前記出力信号のピーク／ピーク電圧を検出するため、および、検出されたピーク／ピーク電圧を所定の参照値と比較するためのピーク／ピーク検出手段と、
前記ピーク／ピーク電圧が前記所定の参照値に等しくなるまで、前記磁気抵抗ブリッジ・センサの前記励起電圧ターミナルに供給される励起電圧を調整するための励起調整手段を含む絶縁装置。